(57)【要約】      （修正有）【課題】加熱空気の吹付け開口部のシール構造を改良して、漏れを少なくし、放湿効率および吸湿効率高めて除湿性能に優れ、吹付け開口部からの騒音発生もの少ない除湿機を提供する。【解決手段】プレナムチャンバー11の除湿ロータ６に対向する位置に設けられた開口部１２Ｃと、この開口部と吸湿ゾーン６ａとの間に除湿ロータに対向した空間を設け、吸湿ゾーンへの漏れを低減する。【選択図】  図３
2005095807.tif 000002
【特許請求の範囲】
【請求項１】
モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記プレナムチャンバーの除湿ロータに面した開口の縁部に設けられ、前記除湿ロータに対向した空間を備えた除湿機。
【請求項２】
請求項１において、前記空間を形成する壁の一方は、プレナムチャンバー本体のから前記除湿ロータに向かって立設されたアウトフランジで、他方は、プレナムチャンバーの蓋に設けられ除湿ロータに向かって立設されたインフランジである除湿機。
【請求項３】
請求項２において、前記フランジのうち、除湿ロータとの近接距離を、インフランジ側が大きくなるように構成した除湿機。
【請求項４】
請求項１において、前記空間に吸音材を設けた除湿機。
【請求項５】
モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記プレナムチャンバーの除湿ロータに面した開口を略扇形状に形成した除湿機。
【請求項６】
モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記プレナムチャンバーの除湿ロータに面した開口を略扇形状よりも広く形成した除湿機。
【請求項７】
モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記ヒータを前記プレナムチャンバーの除湿ロータに面した開口と共に前記除湿ロータに対向して設けられ、前記除湿ロータの中心から離れた位置のヒータ容量を中心に近い位置のヒータ容量より大きくした除湿機。
【請求項８】
モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記除湿ロータの吸湿剤を設けた部材の外周の複数箇所に突起を設け、断面Ｌ字状の円筒部、円筒部の複数箇所に設けた角穴、角穴の両側近傍に円筒端部から切り込みを入れた角穴用舌部を有する金属製のリング枠に、前記Ｌ字状部内方に外周稜線とを対応させて嵌入することで前記角穴と突起を係合することで前記除湿ロータを形成した除湿機。
【発明の詳細な説明】
【技術分野】
【０００１】
本発明は回転する１個の除湿ロータに、湿った室内空気と乾燥用の高温空気を同時に通風して、連続して除湿作用をさせる除湿機に関する。
【背景技術】
【０００２】
図１２は除湿ロータを用いた従来の除湿機の概略断面構造、図１３は再生のための、加熱空気の入口近傍の拡大断面図ある。これを参照しながらこの種除湿機の基本原理を説明する。
【０００３】
除湿ロータ５１は円筒状に形成され、円の中心に駆動軸が設けられてモータ５２によりスロー回転する。この軸方向に通風可能なハニカム状格子に吸湿剤が担持されている。除湿ロータ５１は、箱体内の略中央に配置され、吸湿ゾーンでは室内空気Ａrを通過させて湿り気を吸着し、放湿ゾーンでは加熱空気Ａkが送り込まれて吸湿剤を乾燥させるようになっている。当然ながら、それぞれに通風路を有している。
【０００４】
室内空気Ａrは、吸湿ロ−タ５１の後方に設けられた吸気ファン５３によってフィルター５４、凝縮器５５の順に経由して除湿ロータ５１を通過する。除湿ロータ５１を通過し、乾燥した空気は上部から室内に吹出される。
【０００５】
加熱空気Ａkは、箱体内で独立した循環形風路５６内で循環するようになっている。循環形風路５６には開口部５６ａが設けられ、この開口部５６ａ間に除湿ロータ５１が配置され（開口部間に除湿ロータが挟まれるように近接配置）、放湿ゾーンが形成される。除湿ロータ５１と開口部５６ａ間は空気の漏れを低減するため近接配置されている。
【０００６】
循環形風路５６内部の空気は、除湿ロータ５１の直上流に位置するケース５７内のヒータ５８により加熱され、循環ファン５９の圧力で除湿ロータ５１に吹き付けられる。これにより、吸湿剤が再生し、通過した空気は高温高湿の状態で、除湿ロータ５１の下流にある凝縮器５５の管内部に流入する。凝縮器５５は、その外部表面を通過する低温室内空気Ａrによって冷却され、凝縮器５５の管内部の空気に含まれる水分は凝縮する。この凝縮された水は受け皿６０により集められ、タンク６１に貯留される。凝縮器５５の管内部を通過して乾いた空気は循環ファン５９側に戻る。
【０００７】
この除湿ロータ５１が高湿空気と高温空気の間を回転により移動して、連続した除湿運転を行う。除湿ロータ５１が除湿ゾーンと放湿のゾーンを交互に通過するようにするため、除湿ロータ５１を回転させている。放湿用の加熱空気Ａkの除湿ロータ５１への送風は、循環形風路５６の開口部５６aから行っている。除湿ロータ５１への加熱空気送り込み側の開口部５６と除湿ロータ５１との間は近接距離Ｇｋをとっている。この距離をこれ以上縮めると、除湿ロータ５１の製造上の歪、後天性要因で歪んだ場合にケース５７に当接してしまうことがある。従って、この距離Ｇｋは必要な距離である。このため、この部分は、完全に密閉管路にはできない。図１３は従来例である特許文献１に記載された加熱部近傍を拡大断面である。
【０００８】
図１３において、循環形風路のヒ−タ５８を収納したケース５７は、除湿ロータ５１側に開口部５６ａ有した蓋６１があり、蓋６１に除湿ロータ側に突出する凸部６１ａを形成し、凸部６１ａの幅Ｗを除湿ロータ５１との距離Ｇｋより大きくしたものである。
【０００９】
しかし、ケース５７内には除湿ロータ５１に通風可能にするための高圧がかかっているのと、隣接する除湿ゾーンには除湿ファンによる負圧がかかっていることによりケース５７側から除湿ゾーンに少なからず漏れが生じる。
【００１０】
この点を解決した従来技術として特許文献２に記載された技術が知られている。この特許文献２によれば、シール部（拒離Ｇｋ部）の幅を拡大することで、抵抗を大として空気の漏れを低減するものである。
【００１１】
また、特許文献３には、ヒータ５８をその内部にて開口部５６ａの形状にあわせて等ピッチで巻回することが記載されている。
【００１２】
【特許文献１】特開２０００−３１７２５０号公報
【００１３】
【特許文献２】特開２００１−２４６２２０号公報
【特許文献３】特開２００２−２１０３２２号公報
【発明の開示】
【発明が解決しようとする課題】
【００１４】
特許文献１に記載されたものでは、シール部からの漏れが多いため吸湿剤の再生効率が低下し、加熱空気が除湿ゾーンを暖めることになり吸湿効率も低下させてしまう。また、漏れ熱が室内を暖めることにもつながる。この漏れを少なくすることは、除湿ロータ５１を用いる除湿機においては、重要課題の一つである。
【００１５】
また、上記凸部６１ａの構成は、加熱空気の漏れを防止しようとする部分であるが、頂点の平坦面間の通路摩擦抵抗を利用するものなので、本来その損失係数はかなり小さいものである。しかるに、摩擦抵抗は幅に正比例するので、上記距離Ｇｋを変えずに平坦面幅Ｗによる漏れの防止効果を生かすには、特許文献２に記載されているように通路摩擦抵抗が大きい部分を拡大させる必要がある。すなわち、蓋６１周囲の平坦フランジ閉鎖面、あるいはケース周囲の平坦フランジを広く取らなければならない。図１３において、凸部６１ａの幅を大きくとる必要があり、その分開口部５６ａを小にするか、あるいはケースの蓋６１の外形を大きくしなければならない。
【００１６】
また、シール部（距離Ｇｋ間）は高圧がかかり、除湿ロ−タ回転面はハニカム状なので隙間部の流入、通過、流出に伴う異質な不連続な流体音が発生することがあった。
【００１７】
さらに、開口部５６ａは循環ファン５９の騒音開放でもあり、抵抗の大きな循環形風路５６に見合って騒音が高い。
【００１８】
また、ヒータ５８を収納しているケース５７の内部断面形状を扇形（扇形の中心は除湿ロータ５１の中心とほぼ同一軸線上）とし、外側（円弧側）が広いものであった。ヒータはその内部にて開口部５６ａの形状にあわせて等ピッチで巻回されていた。除湿ロータ５１に直前で対向する蓋の開口部幅に関しても、外側が内側（円中心側）に対して単に広いものであった。
【００１９】
除湿ロータ５１の吸湿剤を加熱空気で再生させる場合、加熱空気の温度を高く、加熱空気の量を多く、放湿ゾーンの周長を長く、除湿ロータ５１の通過速度を遅くすると再生能力は高まる。除湿ロータ５１は回転体であり、除湿ロータ５１を通過する加熱空気の速度（周速度）は、外側（円弧側）と内側（円中心側）とでは異なり、一般には、外側ほど除湿ロータ５１に入ろうとする風の流入角（相対流入角）がハニカム状通路に対して直角の面である除湿ロータ５１の表面と直角ではなくなり、内部のハニカム状通路の向きからからずれてしまう。
【００２０】
このため、その入口損失により、外側では風量が少なくなる点についても配慮し、放湿を均一に行う改良が必要である。
【００２１】
また、吸湿ゾーンの確保やヒータ周りは漏れの発生や熱対策を考慮すると、コンパクトにまとめることがよく、そのためにも放湿効率の向上は重要な課題である。
【００２２】
また、除湿ロータ５１は高温焼成などの工程を経てゼオライトまたシリカゲルなどの吸湿剤を担持させたものなので真円を保証できないものである。そのために中央に別体の堅固なボス６２を入れ、前後から外周リング６３、６４でサンドイッチして、円筒部で外周を、リングリブで前後（軸方向）を押さえつけて偏心と面振れ修正している。上記２個の外周リング６３、６４は樹脂製で、外周側からネジ６５の締め付けにより２個の外周リングを接続していた。
【００２３】
しかし、外周側からの作業は困難であり、ネジ締め時には、その都度偏心と面振れ修正が必要なものであるばかりか、樹脂製であって、使用時には高温に曝されるので、肉厚を大（通常４ｍｍ〜６ｍｍ以上）にしなければならなく、除湿ロータの有効面積も減少してしまうものであった。
【００２４】
本発明の第１の目的は、加熱空気の吹付け開口部のシール構造を改良して、漏れを少なくし、放湿効率および吸湿効率高めて除湿性能に優れ、吹付け開口部からの騒音発生もの少ない除湿機を提供することである。
【００２５】
第２の目的は、ヒータおよびその収納部構造を改良して、効率的な加熱空気の送風を行い、除湿性能に優れた除湿機を提供することである。
【００２６】
第３の目的は、除湿ロータの真円確保の構成を改良して、製作が容易で除湿性能も向上できる除湿機を提供することである。
【課題を解決するための手段】
【００２７】
上記第１の目的は、モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記プレナムチャンバーの除湿ロータに面した開口の縁部に設けられ、前記除湿ロータに対向した空間を備えることにより達成される。
【００２８】
上記第２の目的は、モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記プレナムチャンバーの除湿ロータに面した開口を略扇形状に形成することにより達成される。
【００２９】
上記第２の目的は、モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記プレナムチャンバーの除湿ロータに面した開口を略扇形状よりも広く形成することにより達成される。
【００３０】
上記第３の目的は、モータによって駆動され、回転軸方向に通風され内部に吸湿剤を有する除湿ロータと、第１のファンにより吸込口から取り込んだ空気をこの除湿ロータに通風させ吹出口から吹出させる吸湿風路と、内部にヒータが収納され前記除湿ロータに面した開口を有するプレナムチャンバーと、このプレナムチャンバーの開口に前記除湿ロータを介した位置に対向して設けられた開口から前記プレナムチャンバーに至る循環形通風路と、この循環形通風路内に設けられた第２のファンと、この循環形通風路内の前記除湿ロータより下流に設けられた凝縮器とを備えた除湿機において、前記除湿ロータの吸湿剤を設けた部材の外周の複数箇所に突起を設け、断面Ｌ字状の円筒部、円筒部の複数箇所に設けた角穴、角穴の両側近傍に円筒端部から切り込みを入れた角穴用舌部を有する金属製のリング枠に、前記Ｌ字状部内方に外周稜線とを対応させて嵌入することで前記角穴と突起を係合することで前記除湿ロータを形成することにより達成される。
【発明の効果】
【００３１】
以上本発明によれば、加熱空気の吹き付け開口部のシール構造を改良して、漏れを少なくし、放湿効率および吸湿効率高めて除湿性能に優れ、吹き付け開口部からの騒音発生もの少ない除湿機を提供することができる。
【００３２】
また、ヒータおよびその収納部構造を改良して、効率的な加熱空気の送風を行い、除湿性能に優れた除湿機を提供することができる。
【００３３】
また、除湿ロータの真円確保の構成を改良して、製作が容易で除湿性能も向上できる除湿機を提供することができる。
【発明を実施するための最良の形態】
【００３４】
以下、本発明の一実施例を図を参照して説明する。
【実施例１】
【００３５】
以下の説明において、同一名称、同一番号は説明の煩雑さをなくすため、基本的に同一作用をなすものであり、詳細な相違については、各実施例の中で説明する。
【００３６】
図１は第１実施例に係る除湿機の側断面図である。図２は加熱部となるプレナムチャンバー構成を示す部品斜視図である。図３は加熱空気の入口近傍の周上拡大断面図である。
【００３７】
１は除湿機の箱体、２は室内空気の吸込口、３はその吐出口、４はフィルター、５は凝縮器であって、外表面に熱交換促進用のフィン５ａを付けている。６は除湿ロータ、７は吸気ファン、８は除湿ロータ再生用の循環ファン、９はその循環形風路、１０はその加熱用ヒータ、１１はヒータ１０を包囲するプレナムチャンバー、１２はプレナムチャンバーの蓋、１３は除湿水を溜めるタンク、１４は箱体１の上方に配置した制御用電気品である。
【００３８】
かかる構造において、吸気ファン７が運転されると、湿った室内の空気Ａを吸込口１から取り込み、フィルター４によってほこりなどのごみが取り除かれたのち、凝縮器５のフィン５ａを含む菅５ｃの外表面に触れながら、凝縮器５の通風開口部５b間を通過し、除湿ロータ６の略下半分余の吸湿ゾーン６ａに流入する。
【００３９】
ここで、湿り成分は除湿ロータ６に担持してあるシリカゲル成分等の吸湿剤に吸着され、乾いた空気になって、吸気ファン７から箱体後方寄りの上方吐出口３から室内に吹出される。
【００４０】
除湿ロータ６は、外形が筒状に形成され、円筒中心軸にモータ１５の軸が嵌め合わされ、このモータ１５の回転力により回転する。また、軸方向に通風可能なハニカム状格子となっている。この除湿ロータ６を通風方向から見て略下半分余を吸湿ゾーン６ａとし、残りの略上半分弱を放湿ゾーン６ｂとして構成されている。吸湿ゾーン６ａは、室内空気Ａを通過させて湿り気を吸着する領域であり、放湿ゾーン６ｂは、加熱空気Ｂが送り込まれて吸湿剤を乾燥再生する領域である。すなわち、吸湿剤は除湿ロータ６が一回転する度に夫々一度の吸湿、放湿が交互に行われる。
【００４１】
除湿ロータ６の形状を保持する構造は、図１１に示すように、ハニカム状格子体６が温度によって形状変化することを最小限に抑えるため、
第１のリング枠１２２と第２のリング枠１２３で前後からサンドイッチして、２個のリング枠を係合して除湿ロータ全体としての所定形状にしてある。中央ではボス２６に固定して回転の心を出している。この点は、詳細を後述する。
【００４２】
次に、図１に基づいて、吸湿剤を放湿させて再生させる構成を説明する。加熱空気Ｂは箱体内で独立した循環形風路９内で送風されるようになっており、室内空気の温度上昇を最小限に抑えている。除湿ロータ６の部分に関しては、両側から循環形風路９の吹付け開口部１２ｃを近接させて挟んでいる。
【００４３】
循環形風路６内部の空気は除湿ロータ６の直上流に位置するプレナムチャンバー１１内のヒータ１０により加熱される。そして、循環ファン８の圧力で、前記室内空気Ａとは反対の方向(対向流)から、放湿ゾーン６ｂに移動してきた除湿ロータ６に約１５０℃の高温風を吹き付け、吸湿剤を乾燥させて湿り成分を押し出し再生させる。
【００４４】
除湿ロータ６の放湿ゾーン６ｂに対向する外側の吹き付け開口部１２ｃの幅は、図２においては外側に行くにつれ、内側の開口部１２ｉに対して大きくなるように開口させている。すなわち、吹き付け開口部１２ｃの開口縁は、両縁共に除湿ロータ６の中心を通る略線上に位置するようにしてある。所謂、扇形状に開口させている。
【００４５】
しかし、後述するように、プレナムチャンバー１１の内開口部、ヒータの配置領域、あるいはヒータの容量等を考慮すると、除湿ロータ６に対応する外側が内側に対して、扇形以上に開口させるとさらに効率が良くなる。
【００４６】
つぎに、最終的に水として取り出す方法について説明する。上記放湿ゾーン６ｂを通過した１００℃近い高湿高温の空気は、管路９ａから除湿ロータ６の前方に配置された凝縮器５の内部に流入する。凝縮器５の外部は通風開口部５ｂを通過する１５℃〜３０℃の低温室内空気Ａによって冷却されているため、内部の空気は湿り成分が結露し、凝縮水となって受け皿１５経由でタンク１１に貯留される。そして、約４０℃の乾いた空気となって凝縮器５から排出され、管路９ｂから循環ファン８に戻り、再びヒータ１０により加熱さる。このように循環形風路９内を略循環する。
【００４７】
受け皿１６はドレン水をタンク１３に排出するための排出パイプが設けられている。排出パイプの受け皿１６の底面側に形成される穴の周囲にはリブ１６ａが形成されている。また、凝縮器５の排水口は、排出パイプ位置とずれた位置に配置されている。これにより、満水となったタンク１３を持ち出して水を捨てている間に受け皿１６の水が落下するのを防止している。１７はタンク１３据え置き部の前蓋であり、部分的に透明化することにより水位を外部から確認することができる。
【００４８】
次に全体の構造および配置について説明する。箱体１の前後方向のほぼ中間に設けられた支え板１８を強度部材として、支え板１８の外円筒１８ａ内に除湿ロータ６を回転可能に支持収納し、位置決めを確実なものにしている。除湿ロータ６の前方には、面積広く取る必要がある凝縮器５を左右方向ほぼ幅いっぱいに配置して熱交換面積を多く確保することで、凝縮性能の向上を図っている。
【００４９】
また、凝縮器５、入り口側管路９ａおよび戻り側管路９ｂの接続個所を支え板１８より前方であって受け皿１６の上部に配置し、サービス交換や万が一時の水漏れに対応を可能としてある。
【００５０】
また、接続部には可撓性コネクター５ｄ、５ｅを用いているので温度による伸縮に対応できるようになっている。
【００５１】
また、支え板１８の後方上部の前面から見て除湿ロータ６の投影面に掛かる位置に循環ファン８を配置し、その下方の除湿ロータ６に対向した位置に、蓋１２と共にプレナムチャンバー１１が支え板１８にネジ２４にて固定されている。これにより、ヒータ１０を除湿ロータ６に所定距離以内に近接配置でき、熱ロスの少ない状態で加熱空気を除湿ロータ６に送ることができる。また、支え板１８のほぼ中央に一体に形成した内円筒１８ｂに駆動用モータ１５が取り付けられ、この駆動用モータ１５の軸に除湿ロータ６を支持したので、プレナムチャンバー１１の蓋１２と除湿ロータ６との距離管理が容易であり、回転の中心の位置決めが容易になる。
【００５２】
また、上記支え板１８は、室内空気Ａを除湿前と除湿後に区画する役目も兼ねているので部品点数を少なくすることができる。
【００５３】
また、吸気ファン７は、除湿ロータ６および支え板１８の後方であって、支え板１８より後方側に突出したプレナムチャンバー１１の下方の空間に配置されている。この吸気ファン７のケーシング７ａの背面板は箱体１の後壁内面を利用しており、循環ファン８やプレナムチャンバー１１の周囲に空いた未利用スペースを活用して風が上方に吐出する構造となっている。このような構造としたので、プレナムチャンバー１１および循環ファン８の駆動モータ１５が風路内に配置されるので、これらの冷却もできるといった効果もある。以上のようにすることにより箱体１を前後に薄形化でき、上方に向けた吐出流も障害に当たることがなくなるので押し入れなどの狭いスペースでも使用可能となる。
【００５４】
また、タンク１２は、除湿ロータ６と凝縮器５の直下の空間から吸気ファン７の一部下方にまでかかる大きさとしたので、タンク容量を大きくすることができる他、箱体１の高さ寸法も低くできできるという効果がある。したがって、これによっても高い所や狭い所でも使い勝手のよいものである。
【００５５】
しかし、この種の除湿機は、除湿ロ−タ６が循環形風路９の途中に配設されるために、回転する除湿ロ−タ６と固定の通風開口部１２ｃとの間は密着できない。除湿効率を向上させるためには、この距離間での熱漏れをいかにして少なくするかを考えなければならない。
本実施例では、高圧送風機で漏れ防止に用いられることのあるラビリンスシール（labyrinth seal）法の考え方を取り入れて除湿機に採用し得るように応用することで、熱漏洩を効果的に抑制するようにした。
【００５６】
その詳細をプレナムチャンバー１１の構成を示す部品斜視図である図２、および加熱空気の入口近傍の構造を示す拡大断面図である図３を利用して説明する。
【００５７】
プレナムチャンバー１１を正面から見て開口部の左右（除湿ロータの略半径方向に沿うライン）は２回曲げのアウトフランジ１１ａとなっており、その端部を高さＨｏの立ち上がり部とし除湿ロータ６方向に向けて配置される。また、プレナムチャンバー１１を正面から見て上下は外側に一回曲げのフランジ１１ｂとなっており、後述する蓋１２の吹き付け開口部１２ｃの上下周囲と面あわせする。
【００５８】
蓋１２には扇形の吹付け開口部１２ｃが設けられ、左右に高さＨｉのインフランジ１２ａが設けられ、除湿ロータ６方向に向けて配置される。蓋１２をプレナムチャンバー１１に組み込んだ状態で、インフランジ側の高さＨｉ（ここでは板厚を含み）をアウトフランジの高さＨｏ（ここでは板厚を含まない）よりも、ｓだけ低くしてある。
【００５９】
プレナムチャンバー１１の内開口部１１ｃの正面形状は略扇形になっており、その開口縁は、除湿ロータの中心Ｏを通る直線に略沿うように形成されている。同様に、蓋１２の吹付け開口部１２ｃにおいて、インフランジ１２ａがアウトフランジ１１ａの内開口部１１ｃの縁部と平行になるようにし、かつ開き角１２ｏ、１２ｉを夫々開き角１１ｏ、１１ｉよりも小さくなるようにする。このようにすることでインフランジ１２ａとアウトフランジ１１ａとの間に、正面からみて矩形の空間が左右に形成される。吹付け開口部１２ｃは、その外側開き角１２ｏを内側開き角１２ｉと同じとしている（両開口縁は、除湿ロータの中心Ｏを通る線分上に略沿っている）。
【００６０】
すなわち、略扇状の吹き付け開口部１２ｃの円弧長を略半径距離Ｒｉに比例（比例係数は扇形の中心角）としている。なお、吹き付け開口部１２ｃの上下方向間口も開口縁であるインフランジ１２ａ側をわずかに小にしてもよい。すなわち、吹き付け開口部１２ｃの外側縁部（開口の最外円弧）の中心からの距離が左右のインフランジ１２ｃ側を小さく中央部が大きくなるように間口を切っても良い。
【００６１】
組み付けは、インフランジ１２ａの外側の左右端部１２ｂを前記アウトフランジ１１ａの内側に入れ、内開口部１１ｃと吹付け開口部１２ｃを一致させ、両者の上下フランジを面合わせして穴１１ｄと穴１２ｄを一致させて止め、インフランジ１２ａは２点鎖線Ｐ１に位置させる。箱体への取り付けは図１に示すように、支え板１８を基盤にして蓋１２を取付けたプレナムチャンバー１１を、蓋１２に設けた最上下端の穴１２ｆ部をネジ２４で支え板１８に止めることで取り付けられる。
【００６２】
一方、支え板１８は最外縁を箱体１の内壁にあわせてほぼ矩形となし、その内側に除湿ロータ６を収納するための外円筒１８ａと、中心部には、除湿ロ−タを回転させる駆動モータを収納するため内円筒１８ｂが、複数本の格子で一体成形で連続化されており、適宜リブ等を施して堅固に作られている。
【００６３】
しかして、蓋１２は、上側を支え板１８の外円筒枠１８ａ近傍に、下側を内円筒枠１８ｂ近傍にそれぞれ密着して取り付けられ、プレナムチャンバー１１を除湿ロータ６の直上流(後方)に位置せしめ、アウトフランジ１１ａを除湿ロータの放湿ゾーン６ｂに対向させ、かつできるかぎり近接した所定距離Ｇｏに取り付けることができる。かかる構造にすることにより、上下方向についての漏れはほぼ無しとなる利点が得られ、位置決めも確実にできる。
【００６４】
一方、フランジ１１ａ、1１ｂの端部は回転面に対向するので、機体構造、除湿ロータ６の振れ、熱変形、部品の寸法誤差などを考慮すると適切なフランジ最接近距離Ｇｏは１ｍｍ〜３ｍｍである。したがって、漏れを皆無にすることはできないにしても、下記理由により効果よく少なくすることができる。
【００６５】
続いて、距離Ｇｏを狭めないで漏れを抑制できるフランジ部の詳細構造及びその作用について説明する。
【００６６】
左右方向に対しては、図３に示すようにインフランジ１２ａとアウトフランジ１１ａで以って幅Ｅ（間隔）の下駄歯状の２重フランジに囲まれた小室Ｆｒによりラビリンスを構成するものである。除湿ロータ６は上記フランジ部を境に、吹付け開口部１２ｃが対向する領域の放湿ゾーン６ｂとフランジの外周りの吸湿ゾーン６ａに分けられる。
【００６７】
詳しくは、フランジ高さについて板厚を考慮して所定値にすることにより、インフランジ１２ａ先端と除湿ロ−タの距離Ｇｉを、アウトフランジ１１ａ先端と除湿ロータとの距離Ｇｏよりもわずかに大にしてある（すなわち、インフランジ先端高さ位置がｓだけ短い）。これにより、インフランジ１２ｂ側が目視できなくてもアウトフランジ１２ａにて除湿ロータ６の距離を容易に最終調整ができることになる。
【００６８】
また、ラビリンスの構成はインフランジの高さＨｉを、除湿ロ−タとの距離Ｇｉの２倍〜７倍、幅Ｅは距離Ｇｉの３倍〜２０倍に構成することにより、高い効果が得られる。
【００６９】
すなわち、上記フランジ構成により、圧力の高いプレナムチャンバー１１内の加熱空気は漏れようとしても、インフランジ１２ａで絞られ、２重フランジに囲まれた下駄歯状の小室Ｆｒで急激な拡大で方向性を失い、また、渦損失を伴って、速度とエネルギーが弱まる。このため、アウトフランジ１１ａと除湿ロータ６間の隙間Ｇｏに向かうベクトル成分が小さくなり、勢いで隙間Ｇｏから漏れ出る量は少なくなる。一方、プレナムチャンバー１１内は高圧であるので、隙間Ｇｉから小室Ｆｒに加熱空気が流入してくる。流入分はどこかに流出するはずであるが、流出経路は隙間Ｇｏと除湿ロータ６である。隙間Ｇｏと除湿ロータ６の流路抵抗は隙間Ｇｏの方が大きいので、小室Ｆｒに流入してきた加熱空気の大部分を除湿ロータ６側に流出させることができる。この場合、インフランジ１２ａ先端は、漏れの通風抵抗増す意味から尖ったままでよいので、改めて切断切り口の仕上げを必要としない。また、拡大による損失（すなわちシール効果）は、従来のように、距離Ｇｏを同じにして摩擦損失を頼りにするものと比較して１０倍余の損失が得られるものである。また、フランジは２重なので熱伝達による漏れも少なくできる。
【００７０】
よって、漏れが少なくなることにより吸湿ゾーン６ａが暖められることが少なくなり、室内空気の湿り気を効率よく吸着できる。また、プレナムチャンバー１１からの加熱された空気Ｂを放湿ゾーン６ｂに多量に流れ込ませることができるので、吸湿剤を効率よく再生できることになり、ひいては除湿機としての除湿量を多くすることができる。また、漏れが少なくなる分だけ、箱体の吐出口から出る空気温度が低くなるので室内温度の上昇を少なくできる。あるいは、除湿機のコンパクト化、ヒータ１０及びモータ８ａ、１５の入力低減、あるいは、管理の比較的困難な除湿ロータとプレナムチャンバーとの距離拡大による価格の低減などの貢献につなげることができるものである。
【００７１】
また、蓋の吹付け開口部１２ｃの面積をプレナムチャンバーの内開口部１１ｃよりも小にしてあるので、ヒ−タ１０配置の外周を回ろうとする空気もヒータ部を通過するよう集風できるので加熱空気の吹き付け温度分布を良好にできる。
【００７２】
また、循環形風路９は、除湿ロータ６のほか、凝縮器５、その接続菅路９ａ、９ｂ、ヒータ１０の配置などからなるため通風抵抗が大きく、通風には吸湿ファン７よりも高い圧力が必要であり、風量が少な目であっても負荷（風量×圧力）が大となり、循環ファン８の騒音のレベルは高いものとなる。一般的には除湿機の騒音レベルを支配するほどのものであるが、本実施例では、急拡大した２重フランジ間の小室Ｆｒがサイレンサーの役割をも果たすため、外部に対しては２重遮音効果得られて騒音を低減することができる。
【００７３】
次に、小室Ｆｒの変形例を図４に基づいて説明する。図４は図２と同様加熱空気の入口近傍の周上拡大断面図である。図において、図３と同一番号、同一名称は同一な作用と効果が得られるものである。このため、この部所についての説明は割愛する。また、以下の説明においても同様に扱うことにする。
【００７４】
２１は吸音材であって、インフランジ１２ａとアウトフランジ１１ａで作られた間の小室Ｆｒの内壁面寄りに収納してある。吸音材２１は多孔質であることが必要で、ヒータに近いので、不燃性あるいは難燃性材料が好ましい。
【００７５】
これにより、図３に示す例と同様な効果が得られるに加え、本変形例では特に、吸音材２１は音波を取り込み、多孔質内で乱反射してエネルギ−をロスさせ、特に急拡大により乱れ流れとなっているので吸音の効率がよく、広い周波数領域の吸音効果が得られ騒音レベルを低減できる。
【００７６】
また、フランジ先端の狭い距離間における流れと除湿ロータ６のハニカム開口部との行き交えに伴って不連続に発生しやすい音も吸音できる。したがって、騒音の低い除湿機が得られる。
【００７７】
つぎに、効率的な加熱空気の送風が行える変形例を図５以後を用いて説明する。
【００７８】
図５はプレナムチャンバー１１に関する図である。内開口部１１ｃの左右縁部のうち、除湿ロータ６の回転Ｎに先行して交差する側の縁部を除湿ロータ６の放射線（除湿ロータ６の中心を通る直線）に略対応させている。一方、除湿ロ−タ６の回転Ｎに後行して交差する側の縁部を、除湿ロ−タ６に対向する内開口部１１ｃの幅（除湿ロータ６周に沿う対応距離、扇状の円弧）が、中心から離れるに従い、先行して交差する側の縁部の半径Ｒｉに比例（比例係数は扇形の中心角）した値よりも大きな値とする。このため、外側（中心から遠い）の開き角を内側（中心に近い）の開き角より角ｆｉ分大きくなる。
【００７９】
換言すると、扇形よりも広くなるように後行して交差する側の縁部を形成する。この際、後行して交差する側の縁部を形成する直線は、詳細は後述するが、除湿ロータ６の中心を通らない直線となる。図５からも判るように、この直線は除湿ロータ６の中心よりも内開口部１１ｃ側を通過する。そして、この直線と、扇形を構成する直線であって後行して交差する側の縁部側の直線との交点を通過する円弧は、内開口部１１ｃの中心側の開口内縁を構成する。なお、後行して交差する側の縁部を形成する直線（除湿ロータの中心よりも内開口部１１ｃ側を通る直線）と、扇形を構成する直線であって後行して交差する側の縁部側の直線との間の角度はｆｉとなる。
【００８０】
内開口部１１ｃの内部に、ヒータ１０を、上記内開口部１１ｃの形状に合わせ、巻回を周方向に長くし、内方から外方にかけて等ピッチＴｉに蛇行させて配置し、同一密度で周方向に広い領域に配置にする。これにより、ヒータ１０の外側の容量を、除湿ロータ６の内側の容量に対して大きな値とする構造を得ることができる。
【００８１】
したがって、除湿ロータに対向するヒータ１０の外郭の配置領域は、除湿ロータ６の放射線ｍ（中心を通る直線）を略基準にして、除湿ロータ６の回転Ｎに後行して交差する側に非対称に偏形した外郭領域となる。
【００８２】
一方、蓋の吹付け開口部１２ｃは上記内開口部１１ｃと同様に、その幅を外方に行くにつれ、大きくなるようにし、外側の開き角を内側の開き角よりも角ｆｉ大きくしてプレナムチャンバーの内開口部１１ｃと同一形状にしてある。
【００８３】
したがって、蓋の吹付け開口部１２ｃの形状は、除湿ロータの放射線ｍを略基準にして、外側に行くにつれ、除湿ロータの回転Ｎに後行して交差する側が広くなるというように非対称形状となっている。
【００８４】
プレナムチャンバーの内開口部形状、ヒータ１０の容量および配置面積も、外側が内側に対して大きくしている（除湿ロータ６の中心から径方向のある位置における吹き付け開口部１２ｃの開口角度を、中心に近い位置の開口角度よりも中心から遠い位置の開口角度を大きくした）。
【００８５】
この理由を説明する。プレナムチャンバー１１に循環ファン８から空気が送られてくるのであるが、図５に示すように、空気は除湿ロータ６の軸に直角の方向から入り、プレナムチャンバー１１内で除湿ロータ６の軸に平行な方向に進路が曲げられる。除湿ロータ６の中心に近い位置における吹き付け開口部１２ｃは間口が狭いので風速が大となり、中心から離れるに従って間口が広くなるので風速が小さくなる。従って、除湿ロータ６の中心に近い部分の吸湿剤は移動速度が遅くかつ風速が大きいので再生されやすい。反対に、中心から離れた位置の吸湿剤は移動速度が大きくかつ風速が遅い。このため、中心がどの径方向位置でも変化しない吹き付け開口部とすると、中心から遠い開口部に対向した吸湿剤は再生不十分となってしまう。この理由により、中心から遠い位置の開口面積を単なる扇形の面積よりも広くしているのである。
【００８６】
この吹き付け開口部１２ｃの形状に合わせてヒータ１０を設けているので、外側の風速が小でも、これを風量で補うように周方向に沿った温風の吹付け幅が大にしてあるので、速度に見合った加熱容量が得られることとなる。これにより、径方向の内側から外側にかけて分布のよい再生作用が得られるほか、除湿ロータに対する加熱終了点あるいは開始点を同一放射線状（単なる扇形）からずれるので、熱の漏れや加熱し過ぎを低減でき、除湿性能を向上できるものである。また、ヒータ配置が等ピッチで、両者の開口部が同一であることから制作も容易である。
【００８７】
また、ヒータ１０は、除湿ロータの回転Ｎに先行して交差する側のリターン部を除湿ロータの放射線ｍ上に略一致させ、他方のリターン部を外側に行くにつれ、回転方向Ｎ方向にずらしており、蓋の吹付け開口部１２ｃもこれにあわせてある。このため、除湿ロータ６の回転が進むにつれ、同一回転角線上の加熱は次第に弱まることになるので、放湿ゾーン６ａを通過するまでには必要以上に加熱されることがない。放湿ゾーン６ａと吸湿ゾーン６ｂの境界点すなわちフランジ１１ａ、１２ａの位置では両者の空気温度差が小となるので、熱の漏れも少なくできる。
【００８８】
また、吸湿ゾーンにおいて、吸湿のためには、吸湿剤は低温度の吸湿性能が高いので、吸湿効率を高くできる。また、フランジ間の下駄状小室１１の形成は、騒音低減に貢献できるものである。
【００８９】
特に、両フランジ１１ａ、１２ａの回転Ｎに後行して交差する側は、回転Ｎに先行して交差する放射線の傾きより大きくしてあるので、流れの漏れおよび吸湿ゾーン６ｂとの境界に時間的に位相ずれを生じさせる。このため、騒音低減の効果のほか、漏れの低減にもつながる。
【００９０】
放湿効率が高いことに加えて、吸湿効率も高くなることから、除湿性能を一層向上させる。従って、除湿性能を変えずに、除湿ロータ、ヒータ、モータなどを小形化することができ消費電力を少なくできる。反対に、小型化を図らない場合、除湿性能を一段と向上させることができる。製品のコンパクト化、あるいは、製品の安価に貢献できる
なお、回転Ｎに後行して交差する側の加熱し過ぎや、熱漏れをそれほど問題にしない場合には、上記実施例と反対方向に、回転Ｎに先行して交差する側に大きく非対称に偏形させても、ヒータ１０の外側の容量を、除湿ロータ６の内側の容量に対して半径Ｒｉ比の１乗を超えた比例で大にしてなる構造を得ることができる。プレナムチャンバーの内開口部１１および蓋の吹付け開口部１２についても同様である。
【００９１】
図６は、蓋の吹付け開口部１２ｃの変形例である。その考え方は、図５に示す実施例と同様である。ｘ軸を、除湿ロータ６の回転Ｎに先行して除湿ロータ６と対向する吹き付け開口部１２ｃの開口縁の径方向の距離（除湿ロータ６の中心を原点とする）Ｒｉとし、ｙ軸を、Ｒｉに対応した除湿ロータ６の回転Ｎに後行して除湿ロータ６と対向する吹き付け開口部１２ｃの開口縁までの円弧長とする。このとき、中心に近い円弧長をｙ＝ａｘ（式１）で記述されるｙ値を採用し、あるｘの位置より外側の円弧長をｙ＝ｂｘ−ｃ（ｂ＞ａ）（式２）で記述されるｙ値を採用する。このｙ値を結んだ線が除湿ロータの回転Ｎに後行して除湿ロータ６と対向する吹き付け開口部１２ｃの開口縁となる。ところが吹き付け開口部１２ｃは、除湿ロータ６の中心から開口している訳ではなく、図示の如く、中心からある位置までマスキングされている。このある位置は、内円筒１８ｂよりも若干径方向外側である。従って、除湿ロータ６の回転Ｎに後行して除湿ロータ６と対向する吹き付け開口部１２ｃの開口縁は式２によって記述される。このため、この開口縁を中心方向に延長させても除湿ロータ６の中心を通らない線分となる。なお、式１の係数ａは両開口縁を中心を通る線分で構成した場合の中心角θである（単なる扇形）。そして、式１で表される線分と式２で表される線分との間の角度はｆｉである。なお、除湿ロータ６の回転Ｎに後行して除湿ロータ６と対向する吹き付け開口部１２ｃの開口縁を直線で形成したが、式１で示されるものより広がるものであれば、曲線で構成してもよいし、複数の直線で形成しても良い（式は省略）。
【００９２】
プレナムチャンバー１１に関しては、除湿ロータに対向する内開口部１１ｃの幅（除湿ロータの周に沿う対応距離円弧）を、扇形で構成している。この内開口部１１ｃの後行して交差する側の縁部を、蓋の開口である吹き付け開口部１２ｃの後行して交差する側の縁部と、吹き付け開口部１２ｃの中心から最も離れた開口縁（円弧）との交点と除湿ロータ６の中心とを結ぶ直線に略沿ったものとする。
【００９３】
内開口部１１ｃの内部に、ヒータの巻回を周方向に長くし、内側から外側にかけてピッチＴｉを次第に小さく蛇行させて配置したものである。プレナムチャンバー１１に蓋１２を取り付けるとインフランジ１２ａの一方は２点鎖線Ｐ３の位置にきて、内方の下寄り三角領域は塞がれる構成となる。
【００９４】
これにより、外側のヒータ容量が、内側のヒータ容量に対して大きくなるのに加え、吹付開口部１２ｃは、上述のように大きくしてあるので、温風の出る幅が大になり、外側の風速が小でも分布のよい再生作用が得られる。また、ヒータ１０の配置は、内方側では粗くても三角領域の閉鎖効果によって、ヒータの熱を空気に伝えるのに効果がある。
【００９５】
また、蓋の吹付け開口部１２ｃは、除湿ロータ６の回転Ｎに先行して交差するフランジ１２ａを除湿ロータ６の放射線上に略一致させ、他方のフランジ１２ａ（除湿ロ−タ６の回転Ｎに後行して交差する側に位置する）は、外側をさらに後行する側に傾斜させてあるので、除湿ロータ６の回転が進むにつれ、同一回転角線上の加熱は次第に弱まることになる。
【００９６】
このことは、放湿ゾーン６ａを通過するまでには必要以上に加熱されることがなく、放湿ゾーン６ａと吸湿ゾーン６ｂの境界点すなわちフランジ１１ａ、１２ａの位置では両者の空気温度差が小となるので、熱の漏れも少なくできるものである。また、吸湿ゾーンにおける吸湿のためにも、吸湿剤は低温度のほうがよいので、吸湿効率も高くできる。よって、前記放湿効率の高まりと併せ、除湿性能が向上できる。
【００９７】
また、フランジ間の下駄状小室１１の形成は、上述した実施例と同様に騒音低減に貢献できるものである。特に、両フランジ１１ａ、１２ａの回転Ｎに後行して交差する側は、放射線（中心軸を通過する線分）に対する傾斜が大であるので、時間的に位相ずれを生じさせて流れとの交差を緩やかにするので、騒音低減の効果のほか、漏れの低減にもつながる。
【００９８】
また、プレナムチャンバーに風を送る循環ファン８に関しては、吸湿送風Ａの障害にならない位置で、しかもできるだけ近い位置がよいので、除湿ロータ中心Ｏを基準にプレナムチャンバー１１から中心角約９０°の範囲において除湿ロータ６ｄの外側、あるいはそれより外方に取り付けるのがよい。プレナムチャンバー１１は除湿ロータ６に対向させてあるので、循環ファン８より内方に位置する。よって、プレナムチャンバーの入口１１ｓから入ってくる空気は斜め内方の向きとなり、加熱空気の漏れ及び周囲の騒音に対しては内方側で低減を多くする必要性が出てくる。
【００９９】
本実施例では、前記した三角領域の構成によってフランジ１１ａと１２ａ間の下駄歯状の小室１１ｒ作り、その幅寸法Ｅは好都合に内側で大にしてあるので、加熱空気の漏れを少なくし、騒音低減の効果も上がるものである。
【０１００】
図７は、プレナムチャンバー１１に関する変形例である。プレナムチャンバー１１側に関しては、図２に示す変形例と同様に除湿ロータ６に対向する内開口部１１ｃを扇形としてある。図２に示す変形例との相違点は、ヒータ１０の巻回方式である。すなわち、ヒータ１０の巻回を周方向に長くし、内側から外側にかけてピッチＴｉを次第に小さく蛇行させて配置した点である。
【０１０１】
一方、蓋の吹付け開口部１２ｃは、扇形とし、その開き角１２ｏは上記プレナムチャンバー１１の開口における開き角１１ｏよりも小さくしてある。プレナムチャンバー１１に蓋１２を付けるとインフランジ１２ａの位置２点鎖線の位置にくる。このため、ヒータ配置の開き角１１ｈよりも内側にインフランジ１２ａが位置する。すなわち、（１１ｈ−１２ｏ）／２の寸法はヒータ１０領域を左右端で閉鎖する（蓋１２の一部がヒータ１０を覆う）部分である。
【０１０２】
これにより、前記図６に示す変形例と同様に、外側でヒータ配置のピッチＴｉを狭くしてあるのでヒータ密度（単位面積当たりの発熱量）が大となり、外側のヒータ容量が内側のヒータ容量に対して増加させてあることとなる。
【０１０３】
よって、外側の風速が小でも、これをヒータ容量で補うかたちで周速度に見合った加熱容量が得られることとなり、径方向の内方から外方にかけて分布のよい再生作用が得られ、放湿効率が高くなる。ひいては、除湿性能を向上できるものである。
【０１０４】
また、風は、ヒータ１０の、左右の丸みのある折り返しと端部スペースの存在でヒータ１０を迂回し易いものであるが、本例では、蓋１２により左右に閉鎖面ができるので、ヒータ熱が空気によく伝わることとなる。
【０１０５】
また、この場合、フランジ１１ａと１２ａの間にできる下駄歯状の小室１１ｒは、その間隔Ｅが内側より外側の方が大となり、都合よく、外側は除湿ロータ１０の通過速度が大きく、周囲での騒音が発生し易い側なので、ここでの小室幅Ｅが大きくなることにより騒音低減の効果を上げることができる。
【０１０６】
図８はヒータ１０の配置の変形例である。図において、プレナムチャンバー１１に関しては、図６に示す変形例と同様に除湿ロータ６に対向する内開口部１１ｃの幅（周に沿う距離）を、外方に行くにつれ開き角１１ｏを大きくしてある。その内部に、ヒータ１０を、巻回を周方向に長くし、内方から外方にかけてピッチＴｉを次第に小さく蛇行させて配置してある。
【０１０７】
図６に示す変形例と異なる点は、ヒータ１０の巻回を周方向長さ及び配置広さを、外側に行くにつれ、内側から、単なる扇形を大きく超えて加速度的（二乗）に比例させて大きくした曲線状にしてあることである。
【０１０８】
したがって、除湿ロータに対向するヒータ１０の外郭の配置領域は、除湿ロータ６の放射線を略基準にして、除湿ロータ６の回転Ｎに後行して交差する側に広く非対称に偏形した外郭領域となる。蓋１２について図６または図７と同一のものが使用できる。
【０１０９】
また、外側のヒ−タ密度（単位面積当たりの発熱量）は図６に示す変形例と同様に大となり、ヒータ配置広さも図５に示す変形例と同様に大となっている。
【０１１０】
これにより、外側のヒータ容量と実質配置面積は、内側のヒ−タ容量と配置面積に対して前述の式１より大きくしてあることとなる。よって、除湿ロ−タに吹き込まれる外側の風速が小でも、これをヒータ容量で補うかたちで周速度に見合った加熱容量が得られることとなり、径方向の内側から外側にかけて分布のよい再生作用が得られ、放湿効率が高くなる。ひいては、除湿性能を向上できるものである。
【０１１１】
特に、本例はプレナムチャンバーの入口１１ｓから入ってくる空気が斜め内方の向きである場合に、風の向きに併せてヒータ位置する場合や、風の方向性が強い場合に外側と内側の加熱能力を大きく調整するのに好適である。
【０１１２】
また、ヒータ１０は、除湿ロータ６の回転Ｎに先行して交差する側のリターン部を除湿ロータの一放射線上に略一致させ、他方のリターン部側を外側に行くにつれ、回転Ｎに後行して交差する側にずらしているので、除湿ロータの回転が進むにつれ、同一回転角線上の加熱は次第に弱まることになる。
【０１１３】
したがって、放湿ゾーン６ａを通過するまでには必要以上に加熱されることがなく、放湿ゾーン６ａと吸湿ゾーン６ｂの境界点すなわちフランジ１１ａ、１２ａの位置では両者の空気温度差が小となるので、熱の漏れも少なくできるものである。また、吸湿ゾーンにおける吸湿のためにも、吸湿剤は低温度のほうがよいので、吸湿効率も高くできる。
【０１１４】
よって、前記放湿効率の高まりと併せ吸湿効率も高くできる。ひいては、除湿性能が向上できるものである。
【０１１５】
図９はその他の変形例である。図において、プレナムチャンバー１１に関しては、図６及び図８示す変形例と同様に、除湿ロータに対向する内開口部１１ｃの幅（周に沿う距離）を、扇形より大きくしてある。相違点は、内部のヒータ１０の配置であり、除湿ロータ６の回転方向Ｎに先行して交差する側では内側から外側にかけて巻回の長さを大にして、そのその巻回ピッチを小となし、回転方向に後行交差する側の外側では巻回の長さを小にして、その巻回ピッチを大にしてある。
【０１１６】
この構成により、全体としては、上記図８に示す変形例と同じく、外側のヒータの容量および配置広さが、内側のヒータの容量および配置広さに対して、前述の式１よりも大きく、かつ加速度的に大にしたものである。
【０１１７】
また、除湿ロータ６に対向するヒータ１０の配置領域は、除湿ロータ６の放射線（中心を通る線分）を略基準にして、除湿ロータ６の回転Ｎに後行する側の外方に広く非対称に偏形した外郭領域となる。ここでも、蓋１２について図６または図７と同一のものが使用できる。
【０１１８】
これにより、外方側では図６に示す変形例と同様に、除湿ロータ６に吹き込まれる外側の風速が小でも、これをヒータ容量で補うかたちで周速度に見合った加熱容量が得られることとなり、径方向の内側から外側にかけて分布のよい再生作用が得られ、放湿効率が高くなる。
【０１１９】
特に、プレナムチャンバーの入口１１ｓから入ってくる空気が斜め内方の向きである場合に、流れに沿う配置となるほか、流れが強く当たるプレナムチャー−の斜め下対面寄りには、ヒ−タ１０が密度濃くなるように、しかも容量も大きく配置させてあるので、吸湿ロ−タ６への吹き付け風速分布もよくなる効果を得ることができる。
【０１２０】
これにより、除湿ロータ６の吸湿剤に対して、内側から外側にかけて分布のよい再生作用を行うことでき、放湿能力を向上させることができる。
【０１２１】
また、本例は、プレナムチャンバー１１に入る風が強く、かつ斜め下に方向性が強い場合に、ヒータ容量を調整するのに好適なものである。
【０１２２】
また、ヒータ１０は、除湿ロータ６の回転Ｎに先行して交差する側で除湿ロ−タ６の放射線上に略一致して、そのヒ−タ容量も大となし、後行して交差する側でピッチを大にしているので、除湿ロータ６の回転が進むにつれ、同一回転角線上の加熱は次第に弱まることになる。したがって、放湿ゾーン６ａを通過するまでには必要以上に加熱されることがなく、放湿ゾーン６ａと吸湿ゾーン６ｂの境界点すなわちフランジ１１ａ、１２ａの位置では両者の空気温度差が小となるので、熱の漏れも少なくできるものである。また、吸湿ゾーンにおける吸湿のためにも、吸湿剤は低温度のほうがよいので、吸湿効率も高くできる。
【０１２３】
よって、前記放湿効率の高まりと併せ吸湿効率も高くできる。ひいては、除湿性能が向上できるものである。
【０１２４】
つぎに、除湿ロータ６の真円性確保の構成を改良して、制作制度がよく、作業性がよく、除湿性能の向上にも貢献する構造の実施例について、図１０以後を用いて説明する。
【０１２５】
図１０は、除湿ロータ２７（６）の詳細構造に関する組み立て分解斜視図である。３２はステンレスなどの錆にくい金属製のリング枠で、外方に断面がＬ字状の円筒部を有し、円筒部複数箇所に角穴３２ａ設け、円筒部の端部から角穴３２ａの両側近傍に切り込み３２ｂを深さＹに設け、角穴３２ａの形成された部分を舌部３２ｃとしている。切り込みの深さ寸法Ｙは舌部の幅寸法Ｚより大にしてある。３２ｄは円筒部から連続して打ち抜きにより形成した複数本の格子で、組み立て時の除湿ロータ前面位置の製造上の管理基準となり、また円筒部の真円を維持するものである。その中央には円形部３２ｅが一体となっており、後述するボス３６に取り付けて中心をあわせて除湿ロータとともに回転を可能にするものである。
【０１２６】
一方、除湿ロータ２７は軸方向に通風可能なハニカム状になっており、本例の場合は、セラミックス素子あるいはガラス繊維素子に吸湿剤を担持させた形態のもので外周は比較的堅固なものであって変形も少ないものに適する。
【０１２７】
外周円筒部には前記角穴３２ａに対応する複数箇所の突起３７ｐが一体に設けられている。この突起３７ｐは、角穴３２ａに係合させやすくし、抜け難くするため、係合させる際に舌部３２ｃに最初に当接する部分から次第に高くなる斜面となっており、その頂部は平坦となっており、最終端は平坦部に垂直な側面を形成させてある。中央には回転軸に固着させるボス３６が付けてある。
【０１２８】
除湿ロータ２７の組み立ては、金属製のリング枠３２と、外周の複数箇所に突起２７ｐを設けた除湿ロータ２７本体を、上記Ｌ字状部内方に外周稜線とを対応させるよう嵌入し、嵌入最終段で角穴３２が突起２７ｐに係合し、舌部３２ｃが除湿ロータ２７の外周に密着すれば所定の位置に取り付けられたことになるので作業が容易で確実である。
【０１２９】
また、舌部３２ｃにはばね力があり、かつ切り込みの深さ寸法Ｙは舌部の幅寸法Ｚより大にしてあるので、除湿ロ−タ２７に変形があっても、舌部のみのひずみで吸収でき、除湿ロ−タやリング枠各部に必要以上に荷重がかかるようなことはない。
【０１３０】
また、リング枠３２は耐熱性に優れ、薄いので除湿ロータ２７全体としての大きさが小形になる、同一大きさにすれば、除湿ロータ２７の有効面積（吸湿に寄与する部分）を５％余（例：外形２５０ｍｍのもので、リング厚みを３．５ｍｍ薄くした場合）大きくでき、除湿ロータ２７の通風抵抗は同一風量で１０％余小さくなるので、その分風量も増加できる。このため、面積増加以上に除湿性能の向上に貢献できるものである。
【０１３１】
図１１は、除湿ロータ６の変形例で、その組み立て分解斜視を示している。金属製の第１リング枠１２２は、図１０に示した例と大きさが若干異なる以外は全く同一形状なので、構造説明は割愛し、部品番号のみ変更してある。
【０１３２】
除湿ロータ６は軸方向に通風可能なハニカム状になっており、外周円筒部には特別な構造はとられていない。
【０１３３】
本例の場合は、薄い帯状シートを素子としてゼオライトなどの吸湿剤を焼成担持させた形態のもので全体が比較的柔らかで変形し易いものに適するものである。
【０１３４】
１２３は耐熱性の樹脂で作られた第２のリング枠であって肉厚は４ｍｍ〜６ｍｍものである。外方には、上記第２のリング枠とは反対に断面逆Ｌ字状の円筒部を有し、その外周には角穴１２２ｄに対応できる複数箇所の突起１２３ｐが一体に設けられ、角穴１２２ｄの側から次第に高くなる斜面と、その頂部は平坦となし、最終端は平坦部に垂直な側面を形成させてある。
【０１３５】
除湿ロータの組み立ては、除湿ロータ本体を、第２のリング枠１２３の逆Ｌ字状部内方に外周稜線を対応させて嵌入し、第１のリング枠１２２を第２のリング枠１２３に対向して外周に重ねて嵌入して、上記除湿ロータ６を前後からサンドイッチにし、嵌入最終段で第１のリング枠の角穴１２２ｄが第１のリング枠の突起１２３ｐに係合し、舌部１２２ｃが除湿ロータ６の外周に密着すれば所定の位置に取り付けられたことになる。
【０１３６】
よって、作業が容易で確実である。また、舌部１２２ｃにはばね力があり、かつ、切り込みの深さ寸法Ｙは舌部の幅寸法Ｚより大にしてあるので、除湿ロータ６に変形があっても、堅固なサンドイッチ構造により全体的な変形、偏心を修正できるものである。
【０１３７】
また、舌部は歪むことができるので、リング部や格子部の変形を防止できる。また、リング枠１２２が薄くできることによる効果は、図１０に示す例と同様に、小形化、あるいは除湿性能の向上に貢献できるものである。
【０１３８】
なお、本実施例では、格子１２２ａおよび円形部１２２ｅを第１リング枠に形成したが、駆動モータの位置や加熱ヒータの位置などの都合により、第２リング枠側に形成してもよく、除湿ロータ６を外周側から力を加えて回転させる場合には、必ずしも必要としないものである。
【０１３９】
以上説明したように、本実施例によれば、第１に、箱体内に軸方向に吸湿ゾーンと放湿ゾーンとの間に空間を設けてシールとしたので、漏れを少なくできる。
【０１４０】
また、第２に、除湿ロータに直上流から対向させたヒータを収納するプレナムチャンバーの内開口部幅、ヒータ配置容量、ヒータの配置領域、および、吹付け開口部幅のいずれかまたは複数を、扇形よりも大きくしているので、外側の風速が小でも、これを風量、あるいはヒータ容量で補うことができ、周速度に見合った加熱容量が得られる。
【図面の簡単な説明】
【０１４１】
【図１】本発明の１実施例である除湿機の側断面図。
【図２】本発明の１実施例である加熱部となるプレナムチャー構成を示す部品斜視図。
【図３】本発明の１実施例である加熱空気の入口近傍の作用を説明する周上拡大断面図。
【図４】図３に記載された加熱空気の入口近傍の周上拡大断面図の変形例。
【図５】図２のプレナムチャンバーの変形例。
【図６】プレナムチャンバーの変形例。
【図７】プレナムチャンバーの変形例。
【図８】プレナムチャンバーの変形例。
【図９】プレナムチャンバーの変形例。
【図１０】除湿ロータの組み立て分解斜視図。
【図１１】除湿ロータの組み立て分解斜視図の変形例。
【図１２】従来の除湿機を示す概略側断面図。
【図１３】従来の除湿機を示す概略側断面図。
【符号の説明】
【０１４２】
１…箱体、２…吸込口、３…吐出口、４…フィルター、５…凝縮器、５ｂ…通風開口部、５ｃ…管、６…除湿ロータ、６ａ…吸湿ゾーン、６ｂ…放湿ゾーン、６ｐ…突起、７…吸湿ファン、８…循環ファン、９…循環形風路、１０…ヒータ、１１…プレナムチャンバー、１１a…アウトフランジ、１１b…上下フランジ、１１ｃ…内開口部、１１ｓ…入口、１１o、１１ｉ、１１h…開き角、１２…蓋、１２ａ…インフランジ、１２c…吹付け開口部、Ｆｒ… 小室、Ａ…室内空気、Ｂ…加熱空気、Ｅ…幅、ｍ…放射線、Ｐ１、Ｐ２、Ｐ３…移動位置、Ｈｉ、Ｈｏ…フランジ高さ、Ｇｏ,Ｇｉ…間隔、１８…支え板、１８a…外円筒、１８b…内円筒、２１…吸音材、１２２…第１のリング枠、１２２a…角穴、１２２ｂ…切り込み、１２２ｃ…舌部、１２２ｄ…格子、１２２ｅ…円形部、１２３…第２のリング枠、２４、２５…ネジ、２６…ボス、２７…除湿ロータ、Ｘ…舌部幅、Ｙ…切り込み深さ。
【図１】
2005095807.tif 000003
【図２】
2005095807.tif 000004
【図３】
2005095807.tif 000005
【図４】
2005095807.tif 000006
【図５】
2005095807.tif 000007
【図６】
2005095807.tif 000008
【図７】
2005095807.tif 000009
【図８】
2005095807.tif 000010
【図９】
2005095807.tif 000011
【図１０】
2005095807.tif 000012
【図１１】
2005095807.tif 000013
【図１２】
2005095807.tif 000014
【図１３】
2005095807.tif 000015